(57)【要約】  【課題】  複数の情報層を含む光記録媒体に対し、情報層間の層間隔に応じた層間クロストークの抑制が可能な光ヘッド装置及び光情報再生装置を提供する。  【解決手段】  再生情報層（目的の情報層）とそれに隣接する隣接情報層との反射光を光軸方向の互いに異なる位置に集光する検出レンズ８、受光素子及び演算回路２２が含まれる。受光素子は、再生情報層の反射光を検出する第１の受光部（１１ａ〜１１ｄ）と、対物レンズ５から遠い側の隣接情報層の反射光を検出する第２の受光部（１２ａ，１２ｃ）と、対物レンズ５に近い側の隣接情報層の反射光を検出する第３の受光部（１２ｂ，１２ｄ）とを含む。演算回路２２は、再生情報層と隣接情報層との層間隔に応じて決定される定数Ｋ及びＬを用い、第１の検出信号からＫ倍された第２の検出信号及びＬ倍された第３の検出信号を差し引く。【選択図】  図２
2004303403.tif 000002
【特許請求の範囲】
【請求項１】
光源と、
前記光源から出射した光を、光情報記録媒体に含まれる複数の情報層のうち目的とする情報層に集光する集光レンズと、
前記目的とする情報層からの反射光と前記目的とする情報層に隣接する隣接情報層からの反射光とを光軸方向において互いに異なる位置に集光する光学素子と、
前記光学素子にて集光された反射光を検出し、検出信号を得る受光素子と、
前記検出信号を用いて再生信号を得る演算回路と、
を含んでおり、
前記受光素子は、前記目的とする情報層の反射光を含む反射光から第１の検出信号を検出する第１の受光部と、前記隣接情報層のうち、前記目的とする情報層よりも前記集光レンズから遠くに位置する第１の隣接情報層の反射光から第２の検出信号を検出する第２の受光部と、前記隣接情報層のうち、前記目的とする情報層よりも前記集光レンズに近い側に位置する第２の隣接情報層の反射光から第３の検出信号を検出する第３の受光部とを含み、
前記演算回路は、前記目的とする情報層と前記第１の隣接情報層との層間隔に応じて決定される定数Ｋを用いて前記第２の検出信号をＫ倍し、かつ、前記目的とする情報層と前記第２の隣接情報層との層間隔に応じて決定される定数Ｌを用いて前記第３の検出信号をＬ倍し、前記第１の検出信号からＫ倍された前記第２の検出信号及びＬ倍された前記第３の検出信号を差し引く差動演算を行うことを特徴とする光ヘッド装置。
【請求項２】
前記光学素子は、前記光情報記録媒体からの反射光に非点収差を与える非点収差素子であり、
前記受光素子は、前記目的とする情報層からの反射光が前記第１の受光部上で最小錯乱円を形成する位置に配置されており、
前記第２の受光部及び前記第３の受光部は前記第１の受光部の周囲に設けられており、前記第２の受光部は前記第１の隣接情報層からの反射光が楕円となる位置に配置され、かつ前記第３の受光部は前記第２の隣接情報層からの反射光が楕円となる位置に配置されている請求項１に記載の光ヘッド装置。
【請求項３】
前記第１の受光部が４つの受光パターンから形成されており、前記４つの受光パターンは、対向する２組の受光パターンが２つの焦線方向となるように配置されている請求項２に記載の光ヘッド。
【請求項４】
前記定数Ｋの定数Ｌに対する比率（Ｋ／Ｌ）は、前記目的となる情報層と前記第１の隣接情報層との層間隔と、前記目的となる情報層と前記第２の隣接情報層との層間隔とを用いて決定され、前記比率を用いて定数Ｋ及び定数Ｌが決定される請求項１に記載の光ヘッド装置。
【請求項５】
学習において予め求められた、互いに隣接する情報層の層間隔に対応する最適な定数のテーブルを記憶させておくメモリをさらに含んでおり、
前記定数Ｋ及びＬは、前記テーブルを用いて、前記目的となる情報層と前記第１の隣接情報層との層間隔及び前記目的となる情報層と前記第２の隣接情報層との層間隔を用いて決定される請求項１に記載の光ヘッド装置。
【請求項６】
前記定数Ｋ及びＬは、初期学習により決定される請求項１に記載の光ヘッド装置。
【請求項７】
前記定数Ｋは、前記受光素子に受光される前記第１の隣接情報層からの反射光について、前記第１の受光部で受光される光量と前記第２の受光部で受光される光量との比率を用いて決定され、
前記定数Ｌは、前記受光素子に受光される前記第２の隣接情報層からの反射光について、前記第１の受光部で受光される光量と前記第３の受光部で受光される光量との比率を用いて決定される請求項１に記載の光ヘッド装置。
【請求項８】
前記光情報記録媒体に含まれる複数の情報層に対し前記集光レンズを光軸方向に走査して得られる焦点誤差信号を用いて、互いに隣接する情報層の層間隔を検出する層間隔検出部をさらに含む請求項１に記載の光ヘッド装置。
【請求項９】
光ヘッド装置と、光情報記録媒体を駆動する駆動機構とを含む光情報再生装置であって、
前記光ヘッド装置は、光源と、前記光源から出射した光を、前記光情報記録媒体に含まれる複数の情報層のうち目的とする情報層に集光する集光レンズと、前記目的とする情報層からの反射光と前記目的とする情報層に隣接する隣接情報層からの反射光とを光軸方向において互いに異なる位置に集光する光学素子と、前記光学素子にて集光された反射光を検出し、検出信号を得る受光素子と、前記検出信号を用いて再生信号を得る演算回路と、を含んでおり、
前記受光素子は、前記目的とする情報層の反射光を含む反射光から第１の検出信号を検出する第１の受光部と、前記隣接情報層のうち、前記目的とする情報層よりも前記集光レンズから遠くに位置する第１の隣接情報層の反射光から第２の検出信号を検出する第２の受光部と、前記隣接情報層のうち、前記目的とする情報層よりも前記集光レンズに近い側に位置する第２の隣接情報層の反射光から第３の検出信号を検出する第３の受光部とを含み、
前記演算回路は、前記目的とする情報層と前記第１の隣接情報層との層間隔に応じて決定される定数Ｋを用いて前記第２の検出信号をＫ倍し、かつ、前記目的とする情報層と前記第２の隣接情報層との層間隔に応じて決定される定数Ｌを用いて前記第３の検出信号をＬ倍し、前記第１の検出信号からＫ倍された前記第２の検出信号及びＬ倍された前記第３の検出信号を差し引く差動演算を行うことを特徴とする光情報再生装置。
【発明の詳細な説明】
【技術分野】
【０００１】
本発明は、光ディスクあるいは光カード等の光情報記録媒体もしくは光磁気記録媒体に記録された情報を再生するのに用いる光ヘッド装置及び光情報再生装置に関するものであって、特に、複数の情報層を有する光情報記録媒体（例えば、多層光ディスクあるいは多層光カード等）に記録された情報を再生するのに好適な光ヘッド装置及び光情報再生装置に関するものである。
【背景技術】
【０００２】
近年、光ディスク等の光情報記録媒体の記録容量を増加させるために、記録密度を高めることが検討されている。このような高記録密度化を実現するために、例えばスポットサイズの微細化が考えられており、具体的には、光源の波長を短くすること、対物レンズの開口数を大きくすること、が考えられている。現在のＤＶＤ（Digital Versatile Disk）においては、光源波長が６５０ｎｍ、対物レンズのＮＡが０．６であるが、次世代の光ディスクでは、光源波長が４０５ｎｍ、対物レンズのＮＡが０．８５である光学系を用いることが提案されている。また、更に容量が拡大された光ディスクとして、光ディスクの厚み方向に情報層を所定間隔で複数重ね合わせた多層光ディスクも開発途上にある。
【０００３】
多層光ディスクについては、記録された情報の再生時に、再生しようとする目的の情報層（以下、再生情報層という。）の信号に加えて、他の情報層からの信号が漏れ込むという層間クロストークの問題があった。層間クロストークは、再生情報層と他の情報層との間の距離が大きくなるほど小さくなるので、再生情報層に隣接する情報層からの信号の漏れ込みが支配的になる。従って、再生情報層と隣接情報層との層間隔を大きくすれば、層間クロストークを実用上十分小さくすることは可能である。
【０００４】
しかし、層間隔が大きいと多層光ディスクの各情報層間で基材厚差（ここでは、各情報層について、多層光ディスクのうちその情報層よりもレーザ光入射側に位置する部分をまとめて基材という。）による球面収差が大きく変わるため、球面収差補正手段の補正可能範囲以上に情報層の層数を増やすことは困難である。例えば、光源波長４０５ｎｍ、対物レンズのＮＡ０．８５という光学系では、基材厚誤差１μｍあたりほぼ０．０１λの球面収差が発生する。このとき層間隔を２０μｍとすれば層間クロストークは十分小さくなるが、球面収差補正手段の収差補正可能範囲が１００μｍであれば、高々６層しか情報層を積層できない。これより、更なる大容量化のためには、層間隔の拡大により層間クロストークを抑制することは適当ではない。従って、層間隔を拡大することなく層間クロストークを抑制することが課題であった。
【０００５】
以上の課題に対し、再生情報層の信号光受光領域の周囲に隣接情報層の信号光受光領域を設け、それぞれの信号を演算することにより層間クロストークをキャンセルする方法が提案されている（例えば、特許文献１参照。）。また、多層光ディスクからの反射光に非点収差を付与し、受光素子上では再生情報層からの反射光が最小錯乱円になり、隣接情報層からの反射光が焦線になるように受光素子を配置して、焦線部分の受光領域を最小錯乱円の受光領域から分離することで、隣接情報層からの反射光と再生情報層からの反射光とを光学的に分離して、再生情報層からの反射光のみから情報を再生する方法も提案されている（例えば、特許文献２参照。）。特許文献２では、更に、ホログラム素子により、再生情報層からの反射光と隣接情報層からの反射光とを分離して、各反射光から得られた信号を演算して層間クロストークをキャンセルすることも提案されている。
【特許文献１】特開２００２−３１９１７７号公報
【特許文献２】特開平１１−２４２８２４号公報
【発明の開示】
【発明が解決しようとする課題】
【０００６】
層間クロストークの振幅や周波数は再生情報層と隣接情報層との層間隔によるので、層間クロストーク成分を高精度で取り除くためには、層間隔に応じて隣接情報層の信号を再生情報層の信号から差し引く必要がある。
【０００７】
しかし、特許文献１に開示されている方法では、再生情報層以外の情報層の信号をまとめて検出し、再生情報層の信号から差し引いている。すなわち、再生情報層よりも光ヘッド装置の対物レンズに近い位置に配置されている手前の隣接情報層の信号と、遠い位置に配置されている奥の隣接情報層の信号とは分離されておらず、隣接情報層毎の信号を検出することはできないので、隣接情報層毎で最適な層間クロストークキャンセルを行うことは困難である。例えば、誤差等により手前の隣接情報層と再生情報層の間隔と、奥の隣接情報層と再生情報層の間隔とが異なる場合、それぞれの層間隔を反映したクロストーク成分除去が行えず、良好な再生信号を得るのが困難である。一方、特許文献２に開示されている方法では、再生情報層の信号から手前の隣接情報層の信号及び奥の隣接情報層の信号がそれぞれ分離されているが、各信号の演算を行う際に受光領域の面積を考慮しているだけで、層間隔は考慮されていない。
【課題を解決するための手段】
【０００８】
本発明の光ヘッド装置は、光源と、前記光源から出射した光を、光情報記録媒体に含まれる複数の情報層のうち目的とする情報層に集光する集光レンズと、前記目的とする情報層からの反射光と前記目的とする情報層に隣接する隣接情報層からの反射光とを光軸方向において互いに異なる位置に集光する光学素子と、前記光学素子にて集光された反射光を検出し、検出信号を得る受光素子と、前記検出信号を用いて再生信号を得る演算回路と、を含んでおり、前記受光素子は、前記目的とする情報層の反射光を含む反射光から第１の検出信号を検出する第１の受光部と、前記隣接情報層のうち、前記目的とする情報層よりも前記集光レンズから遠くに位置する第１の隣接情報層の反射光から第２の検出信号を検出する第２の受光部と、前記隣接情報層のうち、前記目的とする情報層よりも前記集光レンズに近い側に位置する第２の隣接情報層の反射光から第３の検出信号を検出する第３の受光部とを含み、前記演算回路は、前記目的とする情報層と前記第１の隣接情報層との層間隔に応じて決定される定数Ｋを用いて前記第２の検出信号をＫ倍し、かつ、前記目的とする情報層と前記第２の隣接情報層との層間隔に応じて決定される定数Ｌを用いて前記第３の検出信号をＬ倍し、前記第１の検出信号からＫ倍された前記第２の検出信号及びＬ倍された前記第３の検出信号を差し引く差動演算を行うことを特徴としている。
【０００９】
本発明の光情報再生装置は、光ヘッド装置と、光情報記録媒体を駆動する駆動機構とを含む光情報再生装置であって、前記光ヘッド装置として上記本発明の光ヘッド装置を含むことを特徴としている。なお、本発明の光情報再生装置は、情報の再生機構とともに記録機構を備えた記録再生装置を包含する。
【発明の効果】
【００１０】
本発明の光ヘッド装置及び光情報再生装置によれば、複数の情報層が設けられた光情報記録媒体に対し、情報層間の層間隔を拡大することなく層間クロストークを抑制できる。
【発明を実施するための最良の形態】
【００１１】
本発明の光ヘッド装置は、演算回路において目的とする情報層とそれに隣接する隣接情報層との層間隔に応じて決定される定数を用いた演算により再生信号を得るので、再生の目的とする情報層に隣接する隣接情報層毎に、再生の目的とする情報層との層間隔に応じて層間クロストークキャンセルを行うことができる。これにより、高精度に層間クロストーク成分が除去された良好な再生信号が得られる。
【００１２】
本発明の光ヘッド装置では、光学素子として、光情報記録媒体からの反射光に非点収差を与える非点収差素子を用いてもよい。この場合、受光素子は、再生の目的とする情報層からの反射光が第１の受光部上で最小錯乱円を形成する位置に配置される。また、第２の受光部及び第３の受光部は、第１の受光部の周囲に設けられる。第２の受光部は、第１の隣接情報層からの反射光が楕円となる位置に配置され、かつ第３の受光部は、第２の隣接情報層からの反射光が楕円となる位置に配置される。また、光学素子として非点収差素子を用いる場合は、第１の受光部が４つの受光パターンから形成されており、これら４つの受光パターンは、対向する２組の受光パターンが２つの焦線方向となるように配置されることが好ましい。これにより、第１の受光部にて検出される第１の検出信号から焦点誤差信号を得ることができる。
【００１３】
本発明の光ヘッド装置では、定数Ｋと定数Ｌの比率（Ｋ／Ｌ）を、目的となる情報層と第１の隣接情報層との層間隔と、目的となる情報層と第２の隣接情報層との層間隔とを用いて決定し、この比率を用いて定数Ｋ及び定数Ｌを決定してもよい。
【００１４】
本発明の光ヘッド装置では、学習において予め求められた、互いに隣接する情報層の層間隔に対応する最適な定数のテーブルを記憶させておくメモリがさらに含まれており、定数Ｋ及びＬが、このテーブルを用いて、目的となる情報層と第１の隣接情報層との層間隔及び目的となる情報層と第２の隣接情報層との層間隔を用いて決定されてもよい。
【００１５】
本発明の光ヘッド装置では、定数Ｋ及びＬが、初期学習により決定されてもよい。
【００１６】
本発明の光ヘッド装置では、定数Ｋは、受光素子に受光される前記第１の隣接情報層からの反射光について、第１の受光部で受光される光量と第２の受光部で受光される光量との比率を用いて決定され、定数Ｌは、受光素子に受光される第２の隣接情報層からの反射光について、第１の受光部で受光される光量と第３の受光部で受光される光量との比率を用いて決定されてもよい。
【００１７】
本発明の光ヘッド装置では、光情報記録媒体に含まれる複数の情報層に対し集光レンズを光軸方向に走査して得られる焦点誤差信号を用いて、互いに隣接する情報層の層間隔を検出する層間隔検出部がさらに含まれていてもよい。これにより、情報層間の厚みばらつきや層間厚みの面内ばらつきに対しても対応できるので、適切な層間クロストークキャンセルが行える。
【００１８】
本発明の光情報再生装置は、本発明の光ヘッド装置を用いているので、同様に、高精度に層間クロストーク成分が除去された良好な再生信号を得ることができる。
【００１９】
以下、本発明の好ましい実施の形態について、図面を参照しながら説明する。
【００２０】
（実施の形態１）
本発明の光ヘッド装置の一実施形態について説明する。図１には、本実施の形態の光ヘッド装置の概略構成が示されており、この光ヘッド装置を用いて光情報記録媒体７を再生する様子が示されている。この光ヘッド装置は、光源１と、コリメートレンズ２と、ビームスプリッター３と、対物レンズ（集光レンズ）５と、対物レンズ５を駆動する駆動装置６と、検出レンズ（光学素子）８と、光検出器１０とを備えている。なお、図１において、４は平行光を示し、９は検出光を示している。また、本実施の形態で情報再生の対象としている光情報記録媒体７には３層の情報層が含まれており、対物レンズ５に近い側から順に、第１の情報層７ａ、第２の情報層７ｂ及び第３の情報層７ｃが配置されている。
【００２１】
光源１には、好適には半導体レーザが用いられる。本実施の形態では、波長４０５ｎｍのレーザ光を出射する半導体レーザが用いられている。コリメートレンズ２は、光源１から出射したレーザ光を平行光にする。ビームスプリッター３は、コリメートレンズ２で変換された平行光の光路を分岐させる。対物レンズ５は、平行光４を光情報記録媒体７に含まれる何れかの情報層に集光する。駆動装置６は、対物レンズ５を駆動する装置であり、好適にはボイスコイルモータが用いられる。検出レンズ８は、光情報記録媒体７からの反射光を光検出器１０に集光する。検出レンズ８としては、例えば、光に非点収差を与える非点収差素子や球面又は非球面レンズ等が使用可能であるが、隣接層同士の信号分離の理由から非点収差素子が好ましい。本実施の形態では、検出レンズ８には、反射光に非点収差を与える非点収差素子が用いられており、例えば、シリンドリカルレンズと球面又は非球面レンズとの組み合わせや、トーリックレンズや、球面又は非球面レンズと光軸に対して傾斜した平行平板との組み合わせ等が使用可能である。光検出器１０には、検出光９を受光する面に配置された受光素子（図示せず）が設けられており、この受光素子を構成する後述の第１の受光部上で再生情報層からの反射光が最小錯乱円となる位置に配置されている。
【００２２】
図２は、光検出器１０に設けられた受光素子と検出光スポットを示す図である。受光素子には、再生情報層からの反射光を受光するための第１の受光部１１ａ〜１１ｄ（４つの受光パターン１１ａ，１１ｂ，１１ｃ，１１ｄにて構成された受光領域）と、再生情報層に隣接する第１の隣接情報層（再生情報層よりも対物レンズ５から遠い位置に配置されている隣接情報層）からの反射光を受光するための第２の受光部１２ａ，１２ｃ（２つの受光パターン１２ａ，１２ｃにて構成された受光領域）と，再生情報層に隣接する第２の隣接情報層（再生情報層よりも対物レンズから近い位置に配置されている隣接情報層）からの反射光を受光するための第３の受光部１２ｂ，１２ｄ（２つの受光パターン１２ｂ，１２ｄにて構成された受光領域）とが設けられている。第２の受光部１２ａ，１２ｃ及び第３の受光部１２ｂ，１２ｄは、第１の受光部１１ａ〜１１ｄの周囲に配置されている。
【００２３】
図２中、１３ａ〜１３ｃは、検出レンズ８によって受光素子上に集光された検出光スポットを示している。光情報記録媒体７の第２の情報層７ｂを再生している場合には、検出光スポット１３ａは第１の情報層７ａ（第２の隣接情報層）の反射光を集光したものであり、検出光スポット１３ｂは第２の情報層７ｂ（再生情報層）の反射光を集光したものであり、検出光スポット１３ｃは第３の情報層７ｃ（第１の隣接情報層）の反射光を集光したものである。
【００２４】
本実施の形態において、光検出器１０は演算回路２２を備えている。本実施の形態の演算回路２２は、受光素子（第１の受光部１１ａ〜１１ｄ、第２の受光部１２ａ，１２ｃ、第３の受光部１２ｂ，１２ｄ）から得られる検出信号を用いて演算し、再生信号を算出する。さらに、本実施の形態では、演算回路２２は、第１の受光部１１ａ〜１１ｄにて検出された検出信号（第１の検出信号）を用いて焦点誤差信号も算出する。本実施の形態では、検出レンズ８を用いて検出光９に非点収差が与えられることにより、光情報記録媒体７に含まれる複数の情報層からの反射光を複数に領域分割した受光素子で受光できる。これより、良好な再生信号及び焦点誤差信号を得ることができる。以下、本実施の形態の光ヘッドを用いて再生信号及び焦点誤差信号を得る方法について、具体的に説明する。
【００２５】
図１に示すように、光源１から出射した光はコリメートレンズ２によって平行光４に変換され、ビームスプリッター３によって対物レンズ５へと光路を切り換えられる。平行光４は対物レンズ５によって集光され、光情報記録媒体７の第１〜第３の情報層７ａ、７ｂ、７ｃのいずれかに集光される。対物レンズ５は、駆動装置６によって光軸方向に駆動され、制御装置（図示せず）により光情報記録媒体７との間隔が制御される。光情報記録媒体７からの反射光は対物レンズ５及びビームスプリッター３を経由して、検出レンズ８により光検出器１０に集光される。光検出器１０では、公知の非点収差法を用いて焦点誤差信号が検出され、対物レンズ５の駆動に必要なサーボ信号が得られる。
【００２６】
図２において、検出光スポット１３ｂは、光情報記録媒体７の第２の情報層７ｂに対物レンズ５の焦点が合っている場合の第２の情報層７ｂからの反射光の形状を示しており、第１の受光部１１ａ〜１１ｄの中に集光される。第２の情報層７ｂに対する焦点誤差信号は、受光パターン１１ａ及び１１ｃの検出信号から受光パターン１１ｂ及び１１ｄの検出信号の差分を取ることで得られる。一方、再生信号は、検出光スポット１３ｂの全光量から得られるが、第１の受光部１１ａ〜１１ｄの検出信号（４つの受光パターンそれぞれから得られる検出信号の和）には、検出光スポット１３ｂ以外に層間クロストーク成分である検出光スポット１３ａ及び１３ｃの一部が混入している。
【００２７】
第３の受光部１２ｂ，１２ｄには光情報記録媒体７の第１の情報層７ａからの検出光スポット１３ａの一部が入射しており、第２の受光部１２ａ，１２ｃには光情報記録媒体７の第３の情報層７ｃからの検出光スポット１３ｃの一部が入射している。従って、第１の受光部１１ａ〜１１ｄの検出信号から、第１及び第３の情報層７ａ，７ｃの検出光スポット１３ａ，１３ｃのうち第１の受光部１１ａ〜１１ｄに入射している部分の検出信号を差し引くことにより、層間クロストークがキャンセルされた再生信号を得ることができる。
【００２８】
そこで、次に、第１及び第３の情報層７ａ，７ｃの検出光スポット１３ａ，１３ｃのうち第１の受光部１１ａ〜１１ｄに入射している部分の検出信号（以下、検出光スポットの層間クロストーク成分という。）を得る方法について、具体的に説明する。前述のとおり、層間クロストークの大きさは、再生情報層と隣接情報層の層間隔に影響を受ける。従って、再生情報層である第２の情報層７ｂと第３の情報層７ｃの層間隔と、第２の情報層７ｂと第３の情報層７ｃの層間隔とを用いることにより、検出光スポット１３ａ，１３ｃの層間クロストーク成分を算出できる。例えば第２の隣接情報層である第１の情報層７ａの検出光スポット１３ａについて説明すると、第１の情報層７ａと第２の情報層７ｂの層間隔に応じて、検出光スポット１３ａにおいて第１の受光部１１ａ〜１１ｄに入射する光量と第３の受光部１２ｂ，１２ｄに入射する光量との比率が異なる。これより、第３の受光部１２ｂ，１２ｄの検出信号（受光パターン１２ｂ，１２ｄの検出信号の和）（第３の検出信号）に適当な定数Ｌを乗じることにより、検出光スポット１３ａに含まれる層間クロストーク成分を求めることができる。同様に、検出光スポット１３ｃについても、第２の受光部の検出信号（受光パターン１２ａ，１２ｃの検出信号の和）（第２の検出信号）に適当な定数Ｋを乗じることにより、検出光スポット１３ｃに含まれる層間クロストーク成分を求めることができる。このように求められた層間クロストーク成分を第１の受光部１１ａ〜１１ｄの検出信号から差し引くことにより、層間クロストークを取り除くことができる。なお、定数Ｋ及びＬは、第１の情報層７ａ、第２の情報層７ｂ及び第３の情報層７ｃの各層間隔を基に決定する。以下に、定数Ｋ及びＬの決定方法の例を説明する。
【００２９】
まず一例として、層間隔の逆数を用いて決定する方法が考えられる。再生情報層に対物レンズ５から出射した光が集光している状態で、距離ｄだけ離れた隣接情報層でのデフォーカスしたスポット半径は、対物レンズ５の開口数をＮＡとして、ＮＡ×ｄとなる。隣接情報層からの層間クロストークは、隣接情報層でのデフォーカスしたスポット径が小さいほど大きい、すなわち隣接情報層でのデフォーカスしたスポット径の２乗に反比例して大きくなる。このことから、定数Ｋと定数Ｌとの比率は、第２の情報層７ｂと第１の情報層７ａとの層間隔ｄ１と、第２の情報層７ｂと第３の情報層７ｃとの層間隔ｄ２とを用いて、Ｋ／Ｌ＝（ｄ１／ｄ２）2で得ることができる。このように得られた比率を用いて、定数Ｋ及び定数Ｌを決定することができる。
【００３０】
別の例としては、受光素子の検出光量を用いる方法が考えられる。上述したとおり、層間隔に応じ、検出光スポット１３ａ，１３ｃにおける第１の受光部１１ａ〜１１ｄに入射する光量と第２の受光部１２ａ，１２ｃ又は第３の受光部１２ｂ，１２ｄに入射する光量とのそれぞれの比率が異なるため、その比率に応じて定数Ｋ及びＬをそれぞれ決定する。より詳細に説明すると、例えば、第１の受光部１１ａ〜１１ｄ、第２の受光部１２ａ，１２ｃ及び第３の受光部１２ｂ，１２ｄの検出光量をＰ（１１ａ）〜Ｐ（１１ｄ）、Ｐ（１２ａ）、Ｐ（１２ｃ）、Ｐ（１２ｂ）及びＰ（１２ｄ）とすると、第１〜第３の情報層７ａ〜７ｃの検出光量の総和Ｔは以下の式にて求められる。
【００３１】
Ｔ＝Ｐ（１１ａ）＋Ｐ（１１ｂ）＋Ｐ（１１ｃ）＋Ｐ（１１ｄ）
＋Ｐ（１２ａ）＋Ｐ（１２ｂ）＋Ｐ（１２ｃ）＋Ｐ（１２ｄ）
【００３２】
従って、一情報層当たりの光量はＴ／３となる。第１の情報層７ａからの層間クロストーク成分は、第１の受光部１１ａ〜１１ｄに入射する光量に比例するが、この光量はＴ／３−（Ｐ（１２ｂ）＋Ｐ（１２ｄ））となるので、これに適切な比例係数を乗じて定数Ｌを決定できる。ここで用いる比例係数は、例えば、０≦Ｌ≦（Ｐ（１１ａ）＋Ｐ（１１ｂ）＋Ｐ（１１ｃ）＋Ｐ（１１ｄ）−Ｔ／３）／（Ｔ／３−（Ｐ（１２ｂ）＋Ｐ（１２ｄ）））の範囲で選ぶことができる。なお、定数Ｋも同様に決定できる。
【００３３】
さらに別の例は、光ヘッド装置の調整段階における学習で、互いに隣接する情報層の層間隔に対応する最適な定数のテーブルを求めておいてメモリに記憶させておき、このテーブルを用いて再生情報層と隣接情報層との層間隔から定数Ｋ及びＬを決定する方法である。また、光情報記録媒体の製造ばらつきに対応するため、エラーレートが少なくなるように、初期学習を行って定数Ｋ及びＬを決定することも可能である。
【００３４】
以上のうち選択する方法によっては、予め層間隔を求める必要がある。そこで、焦点誤差信号を用いて層間隔を求める方法についても説明する。図３は焦点誤差信号を示すグラフであり、横軸は対物レンズ５の移動量であるデフォーカス量、縦軸は焦点誤差信号である。上述のとおり、焦点誤差信号は受光パターン１１ａ及び１１ｃの検出信号と受光パターン１１ｂ及び１１ｄの検出信号の差分から得られる。Ｓ字カーブ１４は第２の情報層７ｂに対応する焦点誤差信号であり、Ｓ字カーブ１５及びＳ字カーブ１６はそれぞれ第１の情報層７ａ及び第３の情報層７ｃに対応する焦点誤差信号である。対物レンズ５が駆動手段６によって光軸方向に走査されるとＳ字カーブ１５、１４、１６が得られ、それぞれのＳ字カーブの０クロスは対物レンズ５の焦点がそれぞれの情報層７ａ，７ｂ，７ｃに合致したときの位置を示す。従って、駆動手段６の駆動量と焦点誤差信号とから、各情報層間の層間隔ｄ１、ｄ２を得ることができる。なお、図１及び図２には示されていないが、このように駆動手段６の駆動量と焦点誤差信号とから層間隔を得る構成の場合は、光検出器１０中の演算回路２２から得られた焦点誤差信号から層間隔を検出する層間隔検出部が設けられている。
【００３５】
以上のような本実施の形態の光ヘッド装置によれば、再生情報層と隣接情報層との層間隔とは独立した定数を用いて層間クロストークキャンセルを行うものに比べ、より高精度な層間クロストークキャンセルを行うことができる。また、層間隔の検出と組み合わせることにより、情報層間の厚みばらつきや、層間厚みの面内ばらつきに対しても事前に層間隔を検出して最適な層間クロストークキャンセルが可能となる。なお、光情報記録媒体７に含まれる情報層に関しては、説明を簡便にするために３層としたが、４層以上含む場合であっても層間クロストークキャンセルの効果は同様に得られる。
【００３６】
また本実施の形態では再生の対象となる情報層が光情報記録媒体７の一番手前の層又は一番奥の層でない場合について説明をしたが、一番手前の層（第１の情報層７ａ）を再生する場合であっても、第２の情報層７ｂからの反射光が第２の受光部１２ａ，１２ｃで検出され、第３の受光部１２ｂ，１２ｄでは反射光は検出されないので、本実施の形態の光ヘッド装置が適用できる。また、一番奥の層（第３の情報層７ｃ）を再生する場合であっても、第２の情報層７ｂからの反射光が第３の受光部１２ｂ，１２ｄで検出され、第２の受光部１２ａ，１２ｃでは反射光は検出されないので、本実施の形態の光ヘッド装置が適用できる。なお、反射光が検出されない受光部に対応する定数Ｋ又はＬを０としてもよい。
【００３７】
（実施の形態２）
本発明の光情報再生装置の一実施形態について、図４を参照しながら説明する。本実施の形態の光情報再生装置は、実施の形態１で説明したものと同構造の光ヘッド装置１７と、光ディスク１８を駆動する駆動機構としてのモータ１９と、回路基板２０と、電源２１とを備えている。光ディスク１８は、複数の情報層を含む光記録媒体である。モータ１９は、光ディスク１８を支持・回転させる機構である。光ヘッド装置１７は、光ディスク１８との位置関係に対応する信号を回路基板２０へ送る。回路基板２０は、フォーカスサーボ駆動機構（図示せず）やトラッキングサーボ駆動機構（図示せず）等を制御し、情報の読み出し、書き込み又は消去といった動作を行うための信号を出力する電気回路を有する。回路基板２０は、光ヘッド装置１７から出力された光ディスク１８と光ヘッド装置１７との位置関係に対応する信号を演算して、光ヘッド装置１７又は光ヘッド装置１７内の対物レンズを微動させるための信号を出力する。この信号により、光ヘッド装置１７又は光ヘッド装置１７内の対物レンズは、光ディスク１８に対してフォーカスサーボ及びトラッキングサーボを行い、光ディスク１８に対して、情報の読み出し、書き込み又は消去を行う。電源２１は外部電源との接続部であってもよく、回路基板２０、光ヘッド装置１７の駆動機構、モータ１９及び対物レンズの駆動装置へ電気を供給する。なお、電源又は外部電源との接続端子は、各駆動回路にそれぞれ設けても何ら問題ない。
【００３８】
本実施の形態の光情報再生装置は、実施の形態１で説明した光ヘッド装置を用いて構成されているので、高精度に層間クロストークを抑制でき、光ディスク１８に含まれる情報層間に厚みばらつきがある場合であっても層間クロストークの少ない良好な再生特性を実現できる。
【産業上の利用可能性】
【００３９】
本発明の光ヘッド装置及び光情報再生装置は、複数の情報層を有する光情報記録媒体に記録された情報を再生するのに有用である。
【図面の簡単な説明】
【００４０】
【図１】本発明の光ヘッド装置の一実施形態の概略構成を示す図である。
【図２】本発明の光ヘッド装置に含まれる受光素子のパターン形状の一例と受光素子から出力される検出信号を用いて再生信号を演算する演算回路の一例とを示し、さらに受光素子に検出される検出光スポットを示す図である。
【図３】焦点誤差信号を示すグラフである。
【図４】本発明の光情報再生装置の一実施形態の概略構成を示す図である。
【符号の説明】
【００４１】
１    光源
２    コリメートレンズ
３    ビームスプリッター
４    平行光
５    対物レンズ（集光レンズ）
６    駆動装置
７    光情報記録媒体
７ａ    第１の情報層
７ｂ    第２の情報層
７ｃ    第３の情報層
８    検出レンズ（光学素子）
９    検出光
１０    光検出器
１１ａ，１１ｂ，１１ｃ，１１ｄ    第１の受光部
１２ａ，１２ｃ    第２の受光部
１２ｂ，１２ｄ    第３の受光部
１３ａ，１３ｂ，１３ｃ    検出光スポット
１４，１５，１６    焦点誤差信号のＳ字カーブ
２２    演算回路
【図１】
2004303403.tif 000003
【図２】
2004303403.tif 000004
【図３】
2004303403.tif 000005
【図４】
2004303403.tif 000006